(57)【要約】【課題】  ラスターデータを拡大表示した際に、より鮮明な画像を表示可能とする画像処理システム１を提供することを目的とする。【解決手段】  画像生成システムは、ラスターデータからなるオリジナル画像データを読み込む画像読込部と、オリジナル画像データの輪郭を抽出してエッジイメージを生成するエッジイメージ生成部と、オリジナル画像データを所定のサイズに縮小してノーマルイメージを生成するノーマルイメージ生成部と、ダウンロードデータを所定の記憶領域に記憶させるダウンロードデータ生成部と、を有しており、画像表示システムは、ダウンロードデータを読み込むダウンロードデータ読込部と、ノーマルイメージを表示し、拡大要求を受け付けると、拡大したノーマルイメージとエッジイメージとを重畳して表示させる表示処理部と、を有する画像処理システムである。【選択図】  図１
2007304748.tif 000002
【特許請求の範囲】
【請求項１】
画像生成システムと画像表示システムとを有する画像処理システムであって、
前記画像生成システムは、
ラスターデータからなるオリジナル画像データを読み込む画像読込部と、
前記オリジナル画像データにおける一部又は全部の輪郭を抽出してエッジイメージを生成するエッジイメージ生成部と、
前記オリジナル画像データを所定のサイズに縮小してノーマルイメージを生成するノーマルイメージ生成部と、
前記ノーマルイメージと前記エッジイメージとを対応付けてダウンロードデータとして、所定の記憶領域に記憶させるダウンロードデータ生成部と、を有しており、
前記画像表示システムは、
前記ダウンロードデータを読み込み、画像記憶部に記憶させるダウンロードデータ読込部と、
前記画像記憶部に記憶したダウンロードデータにおけるノーマルイメージを表示し、前記ノーマルイメージに対する拡大要求を受け付けると、拡大したノーマルイメージと前記画像記憶部に記憶したエッジイメージとを重畳して表示させる表示処理部と、
を有することを特徴とする画像処理システム。
【請求項２】
ラスターデータからなるオリジナル画像データを読み込む画像読込部と、
前記オリジナル画像データにおける一部又は全部の輪郭を抽出して前記エッジイメージを生成するエッジイメージ生成部と、
前記オリジナル画像データを所定のサイズに縮小して前記ノーマルイメージを生成するノーマルイメージ生成部と、
前記ノーマルイメージと前記エッジイメージとを対応付けてダウンロードデータとして、所定の記憶領域に記憶させるダウンロードデータ生成部と、
を有することを特徴とする画像生成システム。
【請求項３】
画像生成システムにおいて生成された、ラスターデータからなるオリジナル画像データを所定のサイズに縮小したノーマルイメージと、前記オリジナル画像データにおける一部又は全部の輪郭を抽出したエッジイメージとを対応付けたダウンロードデータに基づいて画像データの表示を行う画像表示システムであって、
前記画像表示システムは、
前記ダウンロードデータを読み込み、画像記憶部に記憶させるダウンロードデータ読込部と、
前記画像記憶部に記憶したダウンロードデータにおけるノーマルイメージを表示し、前記ノーマルイメージに対する拡大要求を受け付けると、拡大したノーマルイメージと前記画像記憶部に記憶したエッジイメージとを重畳して表示させる表示処理部と、
を有することを特徴とする画像表示システム。
【請求項４】
第１の端末を、
ラスターデータからなるオリジナル画像データを前記第１の端末に読み込む画像読込部、
前記オリジナル画像データにおける一部又は全部の輪郭を抽出したエッジイメージを生成するエッジイメージ生成部、
前記オリジナル画像データを所定のサイズに縮小したノーマルイメージを生成するノーマルイメージ生成部、
前記ノーマルイメージと前記エッジイメージとを対応付けてダウンロードデータとして、所定の記憶領域に記憶させるダウンロードデータ生成部、として機能させるための画像生成プログラムであって、
第２の端末において、前記ダウンロードデータにおけるノーマルイメージと前記エッジイメージとを重畳表示させる、
ことを特徴とする画像生成プログラム。
【請求項５】
第１の端末において生成された、ラスターデータからなるオリジナル画像データを所定のサイズに縮小したノーマルイメージと、前記オリジナル画像データにおける一部又は全部の輪郭を抽出したエッジイメージとを対応付けたダウンロードデータに基づいて画像データの表示を行う第２の端末を、
前記ダウンロードデータを読み込み、前記第２の端末の記憶装置に記憶させるダウンロードデータ読込部、
前記記憶装置に記憶したダウンロードデータにおけるノーマルイメージを表示し、前記ノーマルイメージに対する拡大要求を受け付けると、拡大したノーマルイメージと前記記憶装置に記憶したエッジイメージとを重畳して表示させる表示処理部、
として機能させるための画像表示プログラム。
【請求項６】
画像生成システムと画像表示システムとを有する画像処理システムであって、
前記画像生成システムは、
ラスターデータからなるオリジナル画像データを読み込む画像読込部と、
前記オリジナル画像データにおける一部又は全部の輪郭を抽出してエッジイメージを生成するエッジイメージ生成部と、
前記オリジナル画像データを所定のサイズに縮小してノーマルイメージを生成するノーマルイメージ生成部と、
前記ノーマルイメージと前記エッジイメージとを対応付けてダウンロードデータとして、所定の記憶領域に記憶させるダウンロードデータ生成部と、を有しており、
前記画像表示システムは、
前記ダウンロードデータを読み込み、画像記憶部に記憶させるダウンロードデータ読込部と、
前記画像記憶部に記憶したダウンロードデータにおけるノーマルイメージを表示し、前記ノーマルイメージに対する拡大要求を受け付けると、前記ノーマルイメージを拡大した際のサイズと一致するサイズに、前記画像記憶部に記憶した前記エッジイメージを縮小し、前記拡大したノーマルイメージと前記縮小したエッジイメージとを重畳して表示させる表示処理部と、
を有することを特徴とする画像処理システム。
【請求項７】
画像生成システムにおいて生成された、ラスターデータからなるオリジナル画像データを所定のサイズに縮小したノーマルイメージと、前記オリジナル画像データにおける一部又は全部の輪郭を抽出したエッジイメージとを対応付けたダウンロードデータに基づいて画像データの表示を行う画像表示システムであって、
前記画像表示システムは、
前記ダウンロードデータを読み込み、画像記憶部に記憶させるダウンロードデータ読込部と、
前記画像記憶部に記憶したダウンロードデータにおけるノーマルイメージを表示し、前記ノーマルイメージに対する拡大要求を受け付けると、前記ノーマルイメージを拡大した際のサイズと一致するサイズに、前記画像記憶部に記憶した前記エッジイメージを縮小し、前記拡大したノーマルイメージと前記縮小したエッジイメージとを重畳して表示させる表示処理部と、
を有することを特徴とする画像表示システム。
【請求項８】
第１の端末において生成された、ラスターデータからなるオリジナル画像データを所定のサイズに縮小したノーマルイメージと、前記オリジナル画像データにおける一部又は全部の輪郭を抽出したエッジイメージとを対応付けたダウンロードデータに基づいて画像データの表示を行う第２の端末を、
前記ダウンロードデータを読み込み、前記第２の端末の記憶装置に記憶させるダウンロードデータ読込部、
前記記憶装置に記憶したダウンロードデータにおけるノーマルイメージを表示し、前記ノーマルイメージに対する拡大要求を受け付けると、前記ノーマルイメージを拡大した際のサイズと一致するサイズに、前記記憶装置に記憶した前記エッジイメージを縮小し、前記拡大したノーマルイメージと前記縮小したエッジイメージとを重畳して表示させる表示処理部、
として機能させるための画像表示プログラム。
【請求項９】
画像生成システムと画像表示システムとを有する画像処理システムであって、
前記画像生成システムは、
ラスターデータからなるオリジナル画像データを読み込む画像読込部と、
前記オリジナル画像データを所定のサイズに縮小してノーマルイメージを生成するノーマルイメージ生成部と、
前記オリジナル画像データにおける一部又は全部の輪郭を抽出し、前記画像表示システムにおいて前記ノーマルイメージを拡大した際のサイズと一致するサイズに縮小したエッジイメージを生成するエッジイメージ生成部と、
前記ノーマルイメージと前記エッジイメージとを対応付けてダウンロードデータとして、所定の記憶領域に記憶させるダウンロードデータ生成部と、を有しており、
前記画像表示システムは、
前記ダウンロードデータを読み込み、画像記憶部に記憶させるダウンロードデータ読込部と、
前記画像記憶部に記憶したダウンロードデータにおけるノーマルイメージを表示し、前記ノーマルイメージに対する拡大要求を受け付けると、拡大したノーマルイメージと前記画像記憶部に記憶したエッジイメージとを重畳して表示させる表示処理部と、
を有することを特徴とする画像処理システム。
【請求項１０】
ラスターデータからなるオリジナル画像データを読み込む画像読込部と、
前記オリジナル画像データを所定のサイズに縮小して前記ノーマルイメージを生成するノーマルイメージ生成部と、
前記オリジナル画像データにおける一部又は全部の輪郭を抽出し、前記ノーマルイメージを拡大した際のサイズと一致するサイズに縮小した前記エッジイメージを生成するエッジイメージ生成部と、
前記ノーマルイメージと前記エッジイメージとを対応付けてダウンロードデータとして、所定の記憶領域に記憶させるダウンロードデータ生成部と、
を有することを特徴とする画像生成システム。
【請求項１１】
第１の端末を、
ラスターデータからなるオリジナル画像データを前記第１の端末に読み込む画像読込部、
前記オリジナル画像データを所定のサイズに縮小したノーマルイメージを生成するノーマルイメージ生成部、
前記オリジナル画像データにおける一部又は全部の輪郭を抽出し、第２の端末において前記ノーマルイメージを拡大した際のサイズと一致するサイズに縮小したエッジイメージを生成するエッジイメージ生成部、
前記ノーマルイメージと前記エッジイメージとを対応付けてダウンロードデータとして、所定の記憶領域に記憶させるダウンロードデータ生成部、として機能させるための画像生成プログラムであって、
前記第２の端末において、前記ダウンロードデータにおけるノーマルイメージと前記エッジイメージとを重畳表示させる、
ことを特徴とする画像生成プログラム。
【発明の詳細な説明】
【技術分野】
【０００１】
本発明はラスターデータからなる画像データを拡大表示した際に、より鮮明な画像を表示可能とする画像処理システムに関する。
【背景技術】
【０００２】
現在、携帯電話、ＰＨＳ、ＰＤＡなどの携帯端末でデジタル化された漫画データを閲覧可能な仕組みが存在している。これは漫画の各コマを一つの画像データとして所定のサーバから携帯端末にダウンロードし、そのコマの画像データを携帯端末で表示することにより行われている。
【０００３】
しかし携帯端末の画面は小さく、そのままではキャラクターのセリフが示されている「吹き出し」に書かれた文字やコマそのものが見にくい欠点がある。そこで一般的に、携帯端末で表示しているコマの画像データを拡大表示することによって、ユーザに見やすくするように工夫をしている。このような携帯端末でのコマの拡大を示す従来例を、下記特許文献１乃至特許文献３に示す。
【０００４】
【特許文献１】特開２００３−７６６６６号公報
【特許文献２】特開平７−２４９１３０号公報
【特許文献３】特開平１０−１０５６８３号公報
【発明の開示】
【発明が解決しようとする課題】
【０００５】
上述の特許文献に記載のように、携帯端末で表示されている画像データをそのまま拡大表示することによって、画像データが大きく表示され、ユーザが見やすくなる。一般的にこのような画像データにはラスターデータ（raster data：ラスタイメージ、ラスタ画像とも呼ばれる）が用いられている。ラスターデータは、いわゆるビットマップデータのため、各画素に対してどのような色を表示するかを指定することにより、画像を表現しているデータ形式である。
【０００６】
このようなラスターデータを拡大表示した場合、拡大された画像データはきれいに表示されない。なぜならば、例えば２倍の倍率で拡大表示した場合、元の画像データの一画素で表現する色を、拡大した画像データでは、縦二画素、横二画素の合計、四画素で表示を行うことになるからである。その為、輪郭がギザギザした画像になりやすく、綺麗に表示されないのである。
【０００７】
拡大表示を行っても綺麗に表示する方法としてラスターデータからベクトルデータに変換した上で表示を行う方法もあるが、ラスターデータからベクトルデータへの変換には時間を要するなどの問題点がある。そこでラスターデータのまま、拡大した画像データを綺麗に表示するシステムが望まれている。
【課題を解決するための手段】
【０００８】
そこで本発明者は上記問題点に鑑み、ラスターデータの画像データを拡大表示したとしても、従来よりも綺麗に鮮明に表示することが出来る画像処理システムを発明した。
【０００９】
請求項１の発明は、画像生成システムと画像表示システムとを有する画像処理システムであって、前記画像生成システムは、ラスターデータからなるオリジナル画像データを読み込む画像読込部と、前記オリジナル画像データにおける一部又は全部の輪郭を抽出してエッジイメージを生成するエッジイメージ生成部と、前記オリジナル画像データを所定のサイズに縮小してノーマルイメージを生成するノーマルイメージ生成部と、前記ノーマルイメージと前記エッジイメージとを対応付けてダウンロードデータとして、所定の記憶領域に記憶させるダウンロードデータ生成部と、を有しており、前記画像表示システムは、前記ダウンロードデータを読み込み、画像記憶部に記憶させるダウンロードデータ読込部と、前記画像記憶部に記憶したダウンロードデータにおけるノーマルイメージを表示し、前記ノーマルイメージに対する拡大要求を受け付けると、拡大したノーマルイメージと前記画像記憶部に記憶したエッジイメージとを重畳して表示させる表示処理部と、を有する画像処理システムである。
【００１０】
本発明のように構成することで、ラスターデータからなる画像データであっても、縮小した画像データを拡大表示する際に、綺麗に表示することが出来る。
【００１１】
請求項２の発明は、ラスターデータからなるオリジナル画像データを読み込む画像読込部と、前記オリジナル画像データにおける一部又は全部の輪郭を抽出して前記エッジイメージを生成するエッジイメージ生成部と、前記オリジナル画像データを所定のサイズに縮小して前記ノーマルイメージを生成するノーマルイメージ生成部と、前記ノーマルイメージと前記エッジイメージとを対応付けてダウンロードデータとして、所定の記憶領域に記憶させるダウンロードデータ生成部と、を有する画像生成システム。
【００１２】
本発明のように構成することで、画像表示システムにダウンロードさせるためのダウンロードデータを生成することが出来る。
【００１３】
請求項３の発明は、画像生成システムにおいて生成された、ラスターデータからなるオリジナル画像データを所定のサイズに縮小したノーマルイメージと、前記オリジナル画像データにおける一部又は全部の輪郭を抽出したエッジイメージとを対応付けたダウンロードデータに基づいて画像データの表示を行う画像表示システムであって、前記画像表示システムは、前記ダウンロードデータを読み込み、画像記憶部に記憶させるダウンロードデータ読込部と、前記画像記憶部に記憶したダウンロードデータにおけるノーマルイメージを表示し、前記ノーマルイメージに対する拡大要求を受け付けると、拡大したノーマルイメージと前記画像記憶部に記憶したエッジイメージとを重畳して表示させる表示処理部と、を有する画像表示システムである。
【００１４】
本発明のように構成することで、画像生成システムで生成されたダウンロードデータを用いて画像データを表示すれば、ラスターデータからなる画像データであっても、縮小した画像データを拡大表示する際に、綺麗に表示することが出来る。
【００１５】
請求項４の発明は、第１の端末を、ラスターデータからなるオリジナル画像データを前記第１の端末に読み込む画像読込部、前記オリジナル画像データにおける一部又は全部の輪郭を抽出したエッジイメージを生成するエッジイメージ生成部、前記オリジナル画像データを所定のサイズに縮小したノーマルイメージを生成するノーマルイメージ生成部、前記ノーマルイメージと前記エッジイメージとを対応付けてダウンロードデータとして、所定の記憶領域に記憶させるダウンロードデータ生成部、として機能させるための画像生成プログラムであって、第２の端末において、前記ダウンロードデータにおけるノーマルイメージと前記エッジイメージとを重畳表示させる、画像生成プログラムである。
【００１６】
上述の画像生成システムをコンピュータ端末で実現させるための画像生成プログラムは、本発明のように構成することで実現できる。
【００１７】
請求項５の発明は、第１の端末において生成された、ラスターデータからなるオリジナル画像データを所定のサイズに縮小したノーマルイメージと、前記オリジナル画像データにおける一部又は全部の輪郭を抽出したエッジイメージとを対応付けたダウンロードデータに基づいて画像データの表示を行う第２の端末を、前記ダウンロードデータを読み込み、前記第２の端末の記憶装置に記憶させるダウンロードデータ読込部、前記記憶装置に記憶したダウンロードデータにおけるノーマルイメージを表示し、前記ノーマルイメージに対する拡大要求を受け付けると、拡大したノーマルイメージと前記記憶装置に記憶したエッジイメージとを重畳して表示させる表示処理部、として機能させるための画像表示プログラムである。
【００１８】
上述の画像表示システムを携帯端末やコンピュータ端末で実現させるための画像表示プログラムは、本発明のように構成することで実現できる。
【００１９】
請求項６の発明は、画像生成システムと画像表示システムとを有する画像処理システムであって、前記画像生成システムは、ラスターデータからなるオリジナル画像データを読み込む画像読込部と、前記オリジナル画像データにおける一部又は全部の輪郭を抽出してエッジイメージを生成するエッジイメージ生成部と、前記オリジナル画像データを所定のサイズに縮小してノーマルイメージを生成するノーマルイメージ生成部と、前記ノーマルイメージと前記エッジイメージとを対応付けてダウンロードデータとして、所定の記憶領域に記憶させるダウンロードデータ生成部と、を有しており、前記画像表示システムは、前記ダウンロードデータを読み込み、画像記憶部に記憶させるダウンロードデータ読込部と、前記画像記憶部に記憶したダウンロードデータにおけるノーマルイメージを表示し、前記ノーマルイメージに対する拡大要求を受け付けると、前記ノーマルイメージを拡大した際のサイズと一致するサイズに、前記画像記憶部に記憶した前記エッジイメージを縮小し、前記拡大したノーマルイメージと前記縮小したエッジイメージとを重畳して表示させる表示処理部と、を有する画像処理システムである。
【００２０】
ノーマルイメージを拡大表示させた場合のサイズと、エッジイメージのサイズとが一致しない場合にはそのまま重畳表示させることが出来ない。そこで本発明のように、ノーマルイメージを拡大表示する際のサイズと一致するサイズにエッジイメージのサイズを縮小した上で、それらを重畳表示させることにより、ラスターデータからなる画像データであっても、縮小した画像データを拡大表示する際に、綺麗に表示することが出来る。また画像を表示する側のシステムでサイズの調整を行うため、表示する側の機種に依存せずに、各機種に沿ったサイズで表示を行うことが出来る。
【００２１】
請求項７の発明は、画像生成システムにおいて生成された、ラスターデータからなるオリジナル画像データを所定のサイズに縮小したノーマルイメージと、前記オリジナル画像データにおける一部又は全部の輪郭を抽出したエッジイメージとを対応付けたダウンロードデータに基づいて画像データの表示を行う画像表示システムであって、前記画像表示システムは、前記ダウンロードデータを読み込み、画像記憶部に記憶させるダウンロードデータ読込部と、前記画像記憶部に記憶したダウンロードデータにおけるノーマルイメージを表示し、前記ノーマルイメージに対する拡大要求を受け付けると、前記ノーマルイメージを拡大した際のサイズと一致するサイズに、前記画像記憶部に記憶した前記エッジイメージを縮小し、前記拡大したノーマルイメージと前記縮小したエッジイメージとを重畳して表示させる表示処理部と、を有する画像表示システムである。
【００２２】
上述の発明に用いる画像表示システムは、本発明のように構成することが出来る。
【００２３】
請求項８の発明は、第１の端末において生成された、ラスターデータからなるオリジナル画像データを所定のサイズに縮小したノーマルイメージと、前記オリジナル画像データにおける一部又は全部の輪郭を抽出したエッジイメージとを対応付けたダウンロードデータに基づいて画像データの表示を行う第２の端末を、前記ダウンロードデータを読み込み、前記第２の端末の記憶装置に記憶させるダウンロードデータ読込部、前記記憶装置に記憶したダウンロードデータにおけるノーマルイメージを表示し、前記ノーマルイメージに対する拡大要求を受け付けると、前記ノーマルイメージを拡大した際のサイズと一致するサイズに、前記記憶装置に記憶した前記エッジイメージを縮小し、前記拡大したノーマルイメージと前記縮小したエッジイメージとを重畳して表示させる表示処理部、として機能させるための画像表示プログラムである。
【００２４】
上述の画像表示システムを携帯端末やコンピュータ端末で実現させるための画像表示プログラムは、本発明のように構成することで実現できる。
【００２５】
請求項９の発明は、画像生成システムと画像表示システムとを有する画像処理システムであって、前記画像生成システムは、ラスターデータからなるオリジナル画像データを読み込む画像読込部と、前記オリジナル画像データを所定のサイズに縮小してノーマルイメージを生成するノーマルイメージ生成部と、前記オリジナル画像データにおける一部又は全部の輪郭を抽出し、前記画像表示システムにおいて前記ノーマルイメージを拡大した際のサイズと一致するサイズに縮小したエッジイメージを生成するエッジイメージ生成部と、前記ノーマルイメージと前記エッジイメージとを対応付けてダウンロードデータとして、所定の記憶領域に記憶させるダウンロードデータ生成部と、を有しており、前記画像表示システムは、前記ダウンロードデータを読み込み、画像記憶部に記憶させるダウンロードデータ読込部と、前記画像記憶部に記憶したダウンロードデータにおけるノーマルイメージを表示し、前記ノーマルイメージに対する拡大要求を受け付けると、拡大したノーマルイメージと前記画像記憶部に記憶したエッジイメージとを重畳して表示させる表示処理部と、を有する画像処理システムである。
【００２６】
ノーマルイメージを拡大表示させた場合のサイズと、エッジイメージのサイズとが一致しない場合にはそのまま重畳表示させることが出来ない。そこでノーマルイメージを拡大表示する際のサイズが予め定められている場合には、事前に拡大したノーマルイメージのサイズと一致するサイズに縮小した上でエッジイメージを生成する。そしてそれらを重畳表示させることにより、ラスターデータからなる画像データであっても、縮小した画像データを拡大表示する際に、綺麗に表示することが出来る。また画像を生成する側のシステムでサイズの調整を行うため、表示する側のシステムに負荷がかからずに処理を行わせることが出来る。つまり表示の際に、高速な処理が可能となる。
【００２７】
請求項１０の発明は、ラスターデータからなるオリジナル画像データを読み込む画像読込部と、前記オリジナル画像データを所定のサイズに縮小して前記ノーマルイメージを生成するノーマルイメージ生成部と、前記オリジナル画像データにおける一部又は全部の輪郭を抽出し、前記ノーマルイメージを拡大した際のサイズと一致するサイズに縮小した前記エッジイメージを生成するエッジイメージ生成部と、前記ノーマルイメージと前記エッジイメージとを対応付けてダウンロードデータとして、所定の記憶領域に記憶させるダウンロードデータ生成部と、を有する画像生成システムである。
【００２８】
上述の発明に用いる画像生成システムは、本発明のように構成することが出来る。
【００２９】
請求項１１の発明は、第１の端末を、ラスターデータからなるオリジナル画像データを前記第１の端末に読み込む画像読込部、前記オリジナル画像データを所定のサイズに縮小したノーマルイメージを生成するノーマルイメージ生成部、前記オリジナル画像データにおける一部又は全部の輪郭を抽出し、第２の端末において前記ノーマルイメージを拡大した際のサイズと一致するサイズに縮小したエッジイメージを生成するエッジイメージ生成部、前記ノーマルイメージと前記エッジイメージとを対応付けてダウンロードデータとして、所定の記憶領域に記憶させるダウンロードデータ生成部、として機能させるための画像生成プログラムであって、前記第２の端末において、前記ダウンロードデータにおけるノーマルイメージと前記エッジイメージとを重畳表示させる、画像生成プログラムである。
【００３０】
上述の画像生成システムをコンピュータ端末で実現させるための画像生成プログラムは、本発明のように構成することで実現できる。
【発明の効果】
【００３１】
本発明によって、表示する画像データがラスターデータであったとしても、それを拡大表示する場合に、従来よりも綺麗に表示することが出来る。
【発明を実施するための最良の形態】
【００３２】
本発明の画像処理システム１は、画像データの生成処理を行う画像生成システム２と、画像生成システム２で生成された画像データを表示する画像表示システム３とを有する。画像生成システム２は、オリジナルの画像データ（オリジナル画像データ）に関する処理をコンピュータ上で行うシステムであり、画像表示システム３は、例えば携帯端末で画像データの表示を行うシステムである。なお画像表示システム３は携帯端末などの小さい表示装置２２を有する装置上で機能すると、より大きな効果を発揮するが、通常のコンピュータ端末のように小さくない表示装置２２であったとしてもその効果を発揮することが出来る。
【００３３】
画像処理システム１の概念図を図１に示す。また画像生成システム２を実現するコンピュータ端末や、画像表示システム３を実現する携帯端末やコンピュータ端末のハードウェア構成の一例を図２に示す。
【００３４】
本発明で用いられるコンピュータ端末や携帯端末は、プログラムの演算処理を実行するＣＰＵなどの演算装置２０と、情報を記憶するＲＡＭやハードディスクなどの記憶装置２１と、演算装置２０の処理結果や記憶装置２１に記憶する情報をインターネットやＬＡＮ等のネットワークを介して送受信する通信装置２４とを少なくとも有している。本発明の各システムを構成する各機能は、その処理を実行する手段（プログラムやモジュールなど）が演算装置２０に読み込まれることで、本発明の処理が実行される。各機能は、記憶装置２１に記憶した情報をその処理において利用する場合には、該当する情報を当該記憶装置２１から読み出し、読み出した情報を適宜、演算装置２０における処理に用いる。またこれらのコンピュータ端末や携帯端末には、キーボードやマウス、テンキーなどの入力装置２３、表示装置２２などを有していても良い。
【００３５】
本発明に於ける各手段は、その機能が論理的に区別されているのみであって、物理上あるいは事実上は同一の領域を為していても良い。
【００３６】
画像生成システム２は、画像読込部４とエッジイメージ抽出部５とノーマルイメージ生成部６とダウンロードデータ生成部７とを有する。また画像表示システム３は、ダウンロードデータ読込部８と画像記憶部９と表示処理部１０とを有する。
【００３７】
画像生成システム２は、オリジナル画像データに基づいて、画像表示システム３にダウンロードさせるデータ（ダウンロードデータ）を生成するシステムであり、画像表示システム３は、ダウンロードデータを所定のサーバからダウンロードして、ダウンロードデータにおけるノーマルイメージ（後述）を表示するシステムである。
【００３８】
画像読込部４は、ラスターデータからなるオリジナル画像データを画像生成システム２に読み込む。例えば図５（ｂ）にオリジナル画像データの一例を示す。
【００３９】
ここで読み込まれたオリジナル画像データは、画像表示システム３で表示するために、後述するノーマルイメージ生成部６で所定のサイズ（縦、横の大きさ）に縮小される。サイズが縮小された画像データ（ノーマルイメージ）の一例が図５（ａ）である。
【００４０】
エッジイメージ抽出部５は、オリジナル画像データにおける輪郭の画素を抽出する。オリジナル画像データのうち輪郭の画素を抽出したデータをエッジイメージとする。エッジイメージの一例を図６に示す。なお、図６ではオリジナル画像データの一部（キャラクタより右側）についての全ての輪郭の画素を抽出したデータをエッジイメージとしたが、オリジナル画像データのうちの全部または一部の輪郭の画素を抽出してエッジイメージとしても良い。例えばキャラクタの輪郭のみ、吹き出しのセリフのみ、など任意に設定可能である。また一枚のオリジナル画像データに対して、複数のエッジイメージを生成しても良い。例えばオリジナル画像データを右側と左側に分け、右側のエッジイメージと左側のエッジイメージとの、２つのエッジイメージを生成しても良い。
【００４１】
ノーマルイメージ生成部６は、画像読込部４で読み込んだオリジナル画像データを、所定のサイズに縮小する。例えば画像表示システム３が携帯端末で実現される場合、その携帯端末の表示装置２２にあった大きさ、例えば２４０ピクセル×２４０ピクセル、或いは１２０ピクセル×１２０ピクセルなど、所定のサイズに縮小する。このようにオリジナル画像データを所定のサイズに縮小した画像データをノーマルイメージとする。ノーマルイメージの一例が図５（ａ）である。
【００４２】
ダウンロードデータ生成部７は、ノーマルイメージ生成部６で生成したノーマルイメージとエッジイメージとを対応付ける。この対応付けされたノーマルイメージとエッジイメージとをダウンロードデータとする。ノーマルイメージはオリジナル画像データのサイズが縮小されているので、データ量は大きくない。またエッジイメージもオリジナル画像データの輪郭の画素の情報なのでデータ量が大きくない。従ってこれらの二つを対応付けたとしても、大きなデータ量とはならない。なおダウンロードデータ生成部７は、ノーマルイメージとエッジイメージとを対応付ける際に、一つの画像データとしても管理しても良いし、別々に管理しても良い。
【００４３】
上述の例の場合、ダウンロードデータとしては、図５（ａ）のノーマルイメージと図６のエッジイメージとが対応付けられており、これらがダウンロードデータとなる。
【００４４】
ダウンロードデータ生成部７で生成したダウンロードデータは、画像生成システム２の記憶装置２１、或いは所定の画像サーバの記憶装置２１に記憶される。
【００４５】
ダウンロードデータ読込部８は、画像生成システム２の記憶装置２１、或いは所定の画像サーバの記憶装置２１からダウンロードデータを取得し、ダウンロードデータにおけるノーマルイメージとエッジイメージとを対応付けて画像記憶部９に記憶させる。
【００４６】
画像記憶部９では、ダウンロードデータを、画像表示システム３を実現するコンピュータ端末、携帯端末の記憶装置２１に記憶している。
【００４７】
表示処理部１０は、画像表示システム３を実現するコンピュータ端末、携帯端末の表示装置２２で、ノーマルイメージを最初に表示し、ノーマルイメージの拡大要求を受け付けた際に、ノーマルイメージを所定の大きさに拡大表示し、そこにエッジイメージを重畳表示する。図７（ａ）がノーマルイメージを拡大表示した場合であり、図７（ｂ）が図７（ａ）のノーマルイメージにエッジイメージを重畳表示させた場合である。
【実施例１】
【００４８】
次に本発明の処理プロセスを図３及び図４のフローチャートを用いて説明する。以下の説明では画像表示システム３が携帯端末で実現される場合を説明するが、上述のように、コンピュータ端末で実現することを妨げるものではない。
【００４９】
またユーザに配信する画像として漫画の場合を説明するが、それに限られるものではなく、様々な種類の画像に適用できる。
【００５０】
まずユーザに配信させたい画像の元の画像として、オリジナル画像データを画像生成システム２の画像読込部４に読み込ませる（Ｓ１００）。
【００５１】
画像読込部４でオリジナル画像データを読み込むと、エッジイメージ抽出部５がオリジナル画像データから輪郭を構成する画素を抽出をする（Ｓ１１０）。平均すると、オリジナル画像からエッジイメージを抽出すると、それはオリジナル画像データの１０％以下のデータ量であることが本発明者の研究により分かっており、通常の画像データの圧縮よりも７５％以上も圧縮率が向上している。
【００５２】
また画像読込部４で読み込んだオリジナル画像データを、携帯端末で指定されている所定のサイズに縮小することにより、ノーマルイメージを生成する（Ｓ１２０）。そして生成したノーマルイメージと、エッジイメージとを対応付ける処理（ダウンロードデータの生成処理）をダウンロードデータ生成部７が行う（Ｓ１３０）。この対応付けられたノーマルイメージとエッジイメージとが、ダウンロードデータである。
【００５３】
Ｓ１３０で生成されたダウンロードデータは、画像生成システム２の記憶装置２１、或いは所定の画像サーバの記憶装置２１に保存させる（Ｓ１４０）。
【００５４】
以上のような処理を行うことで、携帯端末にダウンロードさせるデータの生成が行える。
【００５５】
次に、携帯端末のユーザが画像の閲覧を行いたい場合には、携帯端末から所定の操作をすることにより、インターネットなどのネットワークを介して、画像生成システム２の記憶装置２１、或いは所定の画像サーバから、ダウンロードデータの取得要求を行い、それを受け付けた、画像生成システム２の記憶装置２１、或いは所定の画像サーバは、携帯端末にダウンロードデータを送信する。そのダウンロードデータは、ダウンロードデータ読込部８で読み込む（Ｓ２００）。
【００５６】
Ｓ２００で読み込んだダウンロードデータは、携帯端末の記憶装置２１（画像記憶部９）に記憶される。
【００５７】
そして正常にダウンロードが終了すると、表示処理部１０は、ダウンロードデータに含まれるノーマルイメージを携帯端末の表示装置２２で表示する（Ｓ２１０）。この際に表示されるノーマルイメージは、携帯端末用の小さいサイズである。
【００５８】
このノーマルイメージを閲覧したユーザが、ノーマルイメージの拡大表示を行いたい場合には、携帯端末の入力装置２３から所定の操作を入力することによって、表示処理部１０で拡大要求を受け付ける（Ｓ２２０）。
【００５９】
拡大要求を受け付けた表示処理部１０は、Ｓ２１０で表示したノーマルイメージを所定の倍率で拡大して、携帯端末の表示装置２２で表示を行う（Ｓ２３０）。この際にノーマルイメージを拡大するサイズは、オリジナル画像データと同じサイズであると良い。図７（ａ）にノーマルイメージを拡大表示した場合を示す。
【００６０】
ノーマルイメージの拡大表示後、画像記憶部９に記憶した、ノーマルイメージに対応付けられたエッジイメージをそのノーマルイメージに重畳表示させる。この状態の画像が図７（ｂ）である。
【００６１】
このように、エッジイメージをノーマルイメージと対応付け、ノーマルイメージの拡大表示の際には併せて重畳表示することによって、少ないデータ量で、ノーマルイメージの単純な拡大表示よりも綺麗な画像を表示することが可能となる。またベクトルデータを用いないので、画像生成の際にラスターデータからベクトルデータへの変換処理も行わずに済み、画像生成の負担も軽減することが出来る。
【実施例２】
【００６２】
次に、上述の実施例において、ノーマルイメージを拡大表示させた場合のサイズが、エッジイメージのサイズと同じでない場合を説明する。この場合、拡大表示させたノーマルイメージにエッジイメージが、そのままでは綺麗に重畳表示できない。そこで、表示処理部１０は、エッジイメージを、拡大表示したノーマルイメージのサイズに一致するように縮小させた上でエッジイメージを重畳表示させる。
【００６３】
例えばオリジナル画像データ（エッジイメージ）のサイズが、縦４００ピクセル、横４００ピクセルであり、ノーマルイメージのサイズが縦１００ピクセル、横１００ピクセルであったとする。そしてノーマルイメージを２倍に拡大表示する要求を受け付けたとする。
【００６４】
この場合、拡大したノーマルイメージのサイズが縦２００ピクセル、横２００ピクセルで表示されるので、表示処理部１０は、画像記憶部９に記憶したエッジイメージのサイズを縦、横の各々を５０％ずつ縮小する。そうすると縮小したエッジイメージのサイズも縦２００ピクセル、横２００ピクセルになり、拡大したノーマルイメージと縮小したエッジイメージのサイズが同じサイズになり、拡大したノーマルイメージに縮小したエッジイメージを重畳表示すれば、綺麗に表示されることとなる。
【００６５】
表示処理部１０は、ノーマルイメージの拡大サイズに合わせて、自動的にエッジイメージを同じサイズに縮小して表示すると良い。
【実施例３】
【００６６】
実施例２は、ノーマルイメージの拡大サイズが各携帯端末などで異なる場合や、拡大するサイズを任意に指定できる場合に有効な処理方法である。しかしノーマルイメージの拡大サイズが予め定められている場合には、表示処理部１０でエッジイメージを縮小表示する処理を設けるよりも、画像生成システム２のエッジイメージ抽出部５でオリジナル画像データの輪郭の画素を抽出した際に、所定のサイズ（ノーマルイメージの拡大サイズに一致するサイズ）に縮小した上でエッジイメージを生成すると良い。
【００６７】
例えば上述と同様に、例えばオリジナル画像データ（エッジイメージ）のサイズが、縦４００ピクセル、横４００ピクセルであり、ノーマルイメージのサイズが縦１００ピクセル、横１００ピクセルであり、拡大したノーマルイメージのサイズが縦２００ピクセル、横２００ピクセルであったとする。
【００６８】
この場合、エッジイメージ抽出部５は、オリジナル画像データから抽出した、輪郭の画素から構成されるイメージデータを、縦、横の各々を５０％ずつ縮小した上で、エッジイメージとして生成する。そうすると生成されるエッジイメージのサイズが縦２００ピクセル、横２００ピクセルとなる。
【００６９】
これをダウンロードデータ生成部７において、ノーマルイメージ生成部６で生成したノーマルイメージとエッジイメージとを対応付けることで、ダウンロードデータとする。
【００７０】
このダウンロードデータを、携帯端末がダウンロードデータ読込部８でダウンロードし、それを画像記憶部９に記憶させる。そして表示処理部１０が画像記憶部９に記憶したノーマルイメージを表示し、更に拡大要求を入力装置２３から受け付けることによって、拡大したノーマルイメージ（拡大したノーマルイメージのサイズは縦２００ピクセル、横２００ピクセル）に、画像記憶部９に記憶したエッジイメージ（このエッジイメージのサイズは縦２００ピクセル、横２００ピクセル）を重畳表示する。
【００７１】
以上のような処理をすることによって、実施例２と異なり、エッジイメージの縮小処理がなくなるので、携帯端末での処理負担を軽減させることが出来る。
【産業上の利用可能性】
【００７２】
本発明の画像処理システム１を用いることによって、表示する画像データがラスターデータであったとしても、それを拡大表示する場合に、従来よりも綺麗に鮮明に表示することが出来る。
【図面の簡単な説明】
【００７３】
【図１】本発明の画像処理システム１の全体の概念図の一例である。
【図２】本発明のシステムを機能させるハードウェアの構成図の一例である。
【図３】画像生成処理の処理プロセスの一例を示すフローチャートである。
【図４】画像表示処理の処理プロセスの一例を示すフローチャートである。
【図５】ノーマルイメージとオリジナル画像データの一例である。
【図６】エッジイメージの一例である。
【図７】拡大されたノーマルイメージと、それにエッジイメージを重畳表示をした場合の画像の一例である。
【符号の説明】
【００７４】
１：画像処理システム
２：画像生成システム
３：画像表示システム
４：画像読込部
５：エッジイメージ抽出部
６：ノーマルイメージ生成部
７：ダウンロードデータ生成部
８：ダウンロードデータ読込部
９：画像記憶部
１０：表示処理部
２０：演算装置
２１：記憶装置
２２：表示装置
２３：入力装置
２４：通信装置
【図１】
2007304748.tif 000003
【図２】
2007304748.tif 000004
【図３】
2007304748.tif 000005
【図４】
2007304748.tif 000006
【図５】
2007304748.tif 000007
【図６】
2007304748.tif 000008
【図７】
2007304748.tif 000009
【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
画像生成システムと、携帯端末で機能する画像表示システムとを有する画像処理システムであって、
前記画像生成システムは、
ラスターデータからなるオリジナル画像データを読み込む画像読込部と、
前記オリジナル画像データにおける一部又は全部の輪郭を抽出してエッジイメージを生成するエッジイメージ生成部と、
前記オリジナル画像データを所定のサイズに縮小してノーマルイメージを生成するノーマルイメージ生成部と、
前記ノーマルイメージと前記エッジイメージとを対応付けてダウンロードデータとして、所定の記憶領域に記憶させるダウンロードデータ生成部と、を有しており、
前記画像表示システムは、
前記ダウンロードデータを読み込み、前記携帯端末の画像記憶部に記憶させるダウンロードデータ読込部と、
前記画像記憶部に記憶したダウンロードデータにおけるノーマルイメージを表示し、前記携帯端末で前記ノーマルイメージに対する拡大要求を受け付けると、拡大したノーマルイメージと前記画像記憶部に記憶したエッジイメージとを、同じサイズで重畳して表示させる表示処理部と、
を有することを特徴とする画像処理システム。
【請求項２】
ラスターデータからなる、漫画のオリジナル画像データを読み込む画像読込部と、
前記オリジナル画像データにおける一部又は全部の輪郭を抽出して前記エッジイメージを生成するエッジイメージ生成部と、
前記オリジナル画像データを所定のサイズに縮小して前記ノーマルイメージを生成するノーマルイメージ生成部と、
前記ノーマルイメージと前記エッジイメージとを対応付けてダウンロードデータとして、所定の記憶領域に記憶させ、携帯端末からのダウンロードを可能とせしめるダウンロードデータ生成部と、
を有することを特徴とする画像生成システム。
【請求項３】
画像生成システムにおいて生成された、ラスターデータからなるオリジナル画像データを所定のサイズに縮小したノーマルイメージと、前記オリジナル画像データにおける一部又は全部の輪郭を抽出したエッジイメージとを対応付けたダウンロードデータに基づいて画像データの表示を行い、携帯端末で機能する画像表示システムであって、
前記画像表示システムは、
前記ダウンロードデータを読み込み、前記携帯端末の画像記憶部に記憶させるダウンロードデータ読込部と、
前記画像記憶部に記憶したダウンロードデータにおけるノーマルイメージを表示し、前記携帯端末で前記ノーマルイメージに対する拡大要求を受け付けると、拡大したノーマルイメージと前記画像記憶部に記憶したエッジイメージとを、同じサイズで重畳して表示させる表示処理部と、
を有することを特徴とする画像表示システム。
【請求項４】
第１の端末を、
ラスターデータからなるオリジナル画像データを前記第１の端末に読み込む画像読込部、
前記オリジナル画像データにおける一部又は全部の輪郭を抽出したエッジイメージを生成するエッジイメージ生成部、
前記オリジナル画像データを所定のサイズに縮小したノーマルイメージを生成するノーマルイメージ生成部、
前記ノーマルイメージと前記エッジイメージとを対応付けてダウンロードデータとして、所定の記憶領域に記憶させ、携帯端末からのダウンロードを可能とせしめるダウンロードデータ生成部、として機能させるための画像生成プログラムであって、
前記携帯端末において、前記ダウンロードデータにおけるノーマルイメージと前記エッジイメージとを、同じサイズで重畳表示させる、
ことを特徴とする画像生成プログラム。
【請求項５】
第１の端末において生成された、ラスターデータからなるオリジナル画像データを所定のサイズに縮小したノーマルイメージと、前記オリジナル画像データにおける一部又は全部の輪郭を抽出したエッジイメージとを対応付けたダウンロードデータに基づいて画像データの表示を行う携帯端末を、
前記ダウンロードデータを読み込み、前記携帯端末の記憶装置に記憶させるダウンロードデータ読込部、
前記記憶装置に記憶したダウンロードデータにおけるノーマルイメージを表示し、前記携帯端末で前記ノーマルイメージに対する拡大要求を受け付けると、拡大したノーマルイメージと前記記憶装置に記憶したエッジイメージとを、同じサイズで重畳して表示させる表示処理部、
として機能させるための画像表示プログラム。
【請求項６】
画像生成システムと、携帯端末で機能する画像表示システムとを有する画像処理システムであって、
前記画像生成システムは、
ラスターデータからなるオリジナル画像データを読み込む画像読込部と、
前記オリジナル画像データにおける一部又は全部の輪郭を抽出してエッジイメージを生成するエッジイメージ生成部と、
前記オリジナル画像データを所定のサイズに縮小してノーマルイメージを生成するノーマルイメージ生成部と、
前記ノーマルイメージと前記エッジイメージとを対応付けてダウンロードデータとして、所定の記憶領域に記憶させるダウンロードデータ生成部と、を有しており、
前記画像表示システムは、
前記ダウンロードデータを読み込み、前記携帯端末の画像記憶部に記憶させるダウンロードデータ読込部と、
前記画像記憶部に記憶したダウンロードデータにおけるノーマルイメージを表示し、前記携帯端末で前記ノーマルイメージに対する拡大要求を受け付けると、前記ノーマルイメージを拡大した際のサイズと一致するサイズに、前記画像記憶部に記憶した前記エッジイメージを縮小し、前記拡大したノーマルイメージと前記縮小したエッジイメージとを重畳して表示させる表示処理部と、
を有することを特徴とする画像処理システム。
【請求項７】
画像生成システムにおいて生成された、ラスターデータからなるオリジナル画像データを所定のサイズに縮小したノーマルイメージと、前記オリジナル画像データにおける一部又は全部の輪郭を抽出したエッジイメージとを対応付けたダウンロードデータに基づいて画像データの表示を行い、携帯端末で機能する画像表示システムであって、
前記画像表示システムは、
前記ダウンロードデータを読み込み、前記携帯端末の画像記憶部に記憶させるダウンロードデータ読込部と、
前記画像記憶部に記憶したダウンロードデータにおけるノーマルイメージを表示し、前記携帯端末で前記ノーマルイメージに対する拡大要求を受け付けると、前記ノーマルイメージを拡大した際のサイズと一致するサイズに、前記画像記憶部に記憶した前記エッジイメージを縮小し、前記拡大したノーマルイメージと前記縮小したエッジイメージとを重畳して表示させる表示処理部と、
を有することを特徴とする画像表示システム。
【請求項８】
第１の端末において生成された、ラスターデータからなるオリジナル画像データを所定のサイズに縮小したノーマルイメージと、前記オリジナル画像データにおける一部又は全部の輪郭を抽出したエッジイメージとを対応付けたダウンロードデータに基づいて画像データの表示を行う携帯端末を、
前記ダウンロードデータを読み込み、前記携帯端末の記憶装置に記憶させるダウンロードデータ読込部、
前記記憶装置に記憶したダウンロードデータにおけるノーマルイメージを表示し、前記携帯端末で前記ノーマルイメージに対する拡大要求を受け付けると、前記ノーマルイメージを拡大した際のサイズと一致するサイズに、前記記憶装置に記憶した前記エッジイメージを縮小し、前記拡大したノーマルイメージと前記縮小したエッジイメージとを重畳して表示させる表示処理部、
として機能させるための画像表示プログラム。
【請求項９】
画像生成システムと、前記携帯端末で機能する画像表示システムとを有する画像処理システムであって、
前記画像生成システムは、
ラスターデータからなるオリジナル画像データを読み込む画像読込部と、
前記オリジナル画像データを所定のサイズに縮小してノーマルイメージを生成するノーマルイメージ生成部と、
前記オリジナル画像データにおける一部又は全部の輪郭を抽出し、前記画像表示システムにおいて前記ノーマルイメージを拡大した際のサイズと一致するサイズに縮小したエッジイメージを生成するエッジイメージ生成部と、
前記ノーマルイメージと前記エッジイメージとを対応付けてダウンロードデータとして、所定の記憶領域に記憶させるダウンロードデータ生成部と、を有しており、
前記画像表示システムは、
前記ダウンロードデータを読み込み、前記携帯端末の画像記憶部に記憶させるダウンロードデータ読込部と、
前記画像記憶部に記憶したダウンロードデータにおけるノーマルイメージを表示し、前記携帯端末で前記ノーマルイメージに対する拡大要求を受け付けると、拡大したノーマルイメージと前記画像記憶部に記憶したエッジイメージとを重畳して表示させる表示処理部と、
を有することを特徴とする画像処理システム。
【請求項１０】
ラスターデータからなる、漫画のオリジナル画像データを読み込む画像読込部と、
前記オリジナル画像データを所定のサイズに縮小して前記ノーマルイメージを生成するノーマルイメージ生成部と、
前記オリジナル画像データにおける一部又は全部の輪郭を抽出し、前記ノーマルイメージを拡大した際のサイズと一致するサイズに縮小した前記エッジイメージを生成するエッジイメージ生成部と、
前記ノーマルイメージと前記エッジイメージとを対応付けてダウンロードデータとして、所定の記憶領域に記憶させ、携帯端末からのダウンロードを可能とせしめるダウンロードデータ生成部と、
を有することを特徴とする画像生成システム。
【請求項１１】
第１の端末を、
ラスターデータからなる、漫画のオリジナル画像データを前記第１の端末に読み込む画像読込部、
前記オリジナル画像データを所定のサイズに縮小したノーマルイメージを生成するノーマルイメージ生成部、
前記オリジナル画像データにおける一部又は全部の輪郭を抽出し、携帯端末において前記ノーマルイメージを拡大した際のサイズと一致するサイズに縮小したエッジイメージを生成するエッジイメージ生成部、
前記ノーマルイメージと前記エッジイメージとを対応付けてダウンロードデータとして、所定の記憶領域に記憶させるダウンロードデータ生成部、として機能させるための画像生成プログラムであって、
前記携帯端末において、前記ダウンロードデータにおけるノーマルイメージと前記エッジイメージとを重畳表示させる、
ことを特徴とする画像生成プログラム。
【手続補正２】
【補正対象書類名】明細書
【補正対象項目名】０００９
【補正方法】変更
【補正の内容】
【０００９】
請求項１の発明は、画像生成システムと、携帯端末で機能する画像表示システムとを有する画像処理システムであって、前記画像生成システムは、ラスターデータからなるオリジナル画像データを読み込む画像読込部と、前記オリジナル画像データにおける一部又は全部の輪郭を抽出してエッジイメージを生成するエッジイメージ生成部と、前記オリジナル画像データを所定のサイズに縮小してノーマルイメージを生成するノーマルイメージ生成部と、前記ノーマルイメージと前記エッジイメージとを対応付けてダウンロードデータとして、所定の記憶領域に記憶させるダウンロードデータ生成部と、を有しており、前記画像表示システムは、前記ダウンロードデータを読み込み、前記携帯端末の画像記憶部に記憶させるダウンロードデータ読込部と、前記画像記憶部に記憶したダウンロードデータにおけるノーマルイメージを表示し、前記携帯端末で前記ノーマルイメージに対する拡大要求を受け付けると、拡大したノーマルイメージと前記画像記憶部に記憶したエッジイメージとを、同じサイズで重畳して表示させる表示処理部と、を有する画像処理システムである。
【手続補正３】
【補正対象書類名】明細書
【補正対象項目名】００１１
【補正方法】変更
【補正の内容】
【００１１】
請求項２の発明は、ラスターデータからなる、漫画のオリジナル画像データを読み込む画像読込部と、前記オリジナル画像データにおける一部又は全部の輪郭を抽出して前記エッジイメージを生成するエッジイメージ生成部と、前記オリジナル画像データを所定のサイズに縮小して前記ノーマルイメージを生成するノーマルイメージ生成部と、前記ノーマルイメージと前記エッジイメージとを対応付けてダウンロードデータとして、所定の記憶領域に記憶させ、携帯端末からのダウンロードを可能とせしめるダウンロードデータ生成部と、を有する画像生成システムである。
【手続補正４】
【補正対象書類名】明細書
【補正対象項目名】００１３
【補正方法】変更
【補正の内容】
【００１３】
請求項３の発明は、画像生成システムにおいて生成された、ラスターデータからなるオリジナル画像データを所定のサイズに縮小したノーマルイメージと、前記オリジナル画像データにおける一部又は全部の輪郭を抽出したエッジイメージとを対応付けたダウンロードデータに基づいて画像データの表示を行い、携帯端末で機能する画像表示システムであって、前記画像表示システムは、前記ダウンロードデータを読み込み、前記携帯端末の画像記憶部に記憶させるダウンロードデータ読込部と、前記画像記憶部に記憶したダウンロードデータにおけるノーマルイメージを表示し、前記携帯端末で前記ノーマルイメージに対する拡大要求を受け付けると、拡大したノーマルイメージと前記画像記憶部に記憶したエッジイメージとを、同じサイズで重畳して表示させる表示処理部と、を有する画像表示システムである。
【手続補正５】
【補正対象書類名】明細書
【補正対象項目名】００１５
【補正方法】変更
【補正の内容】
【００１５】
請求項４の発明は、第１の端末を、ラスターデータからなるオリジナル画像データを前記第１の端末に読み込む画像読込部、前記オリジナル画像データにおける一部又は全部の輪郭を抽出したエッジイメージを生成するエッジイメージ生成部、前記オリジナル画像データを所定のサイズに縮小したノーマルイメージを生成するノーマルイメージ生成部、前記ノーマルイメージと前記エッジイメージとを対応付けてダウンロードデータとして、所定の記憶領域に記憶させ、携帯端末からのダウンロードを可能とせしめるダウンロードデータ生成部、として機能させるための画像生成プログラムであって、前記携帯端末において、前記ダウンロードデータにおけるノーマルイメージと前記エッジイメージとを、同じサイズで重畳表示させる、画像生成プログラムである。
【手続補正６】
【補正対象書類名】明細書
【補正対象項目名】００１７
【補正方法】変更
【補正の内容】
【００１７】
請求項５の発明は、第１の端末において生成された、ラスターデータからなるオリジナル画像データを所定のサイズに縮小したノーマルイメージと、前記オリジナル画像データにおける一部又は全部の輪郭を抽出したエッジイメージとを対応付けたダウンロードデータに基づいて画像データの表示を行う携帯端末を、前記ダウンロードデータを読み込み、前記携帯端末の記憶装置に記憶させるダウンロードデータ読込部、前記記憶装置に記憶したダウンロードデータにおけるノーマルイメージを表示し、前記携帯端末で前記ノーマルイメージに対する拡大要求を受け付けると、拡大したノーマルイメージと前記記憶装置に記憶したエッジイメージとを、同じサイズで重畳して表示させる表示処理部、として機能させる画像表示プログラムである。
【手続補正７】
【補正対象書類名】明細書
【補正対象項目名】００１９
【補正方法】変更
【補正の内容】
【００１９】
請求項６の発明は、画像生成システムと、携帯端末で機能する画像表示システムとを有する画像処理システムであって、前記画像生成システムは、ラスターデータからなるオリジナル画像データを読み込む画像読込部と、前記オリジナル画像データにおける一部又は全部の輪郭を抽出してエッジイメージを生成するエッジイメージ生成部と、前記オリジナル画像データを所定のサイズに縮小してノーマルイメージを生成するノーマルイメージ生成部と、前記ノーマルイメージと前記エッジイメージとを対応付けてダウンロードデータとして、所定の記憶領域に記憶させるダウンロードデータ生成部と、を有しており、前記画像表示システムは、前記ダウンロードデータを読み込み、前記携帯端末の画像記憶部に記憶させるダウンロードデータ読込部と、前記画像記憶部に記憶したダウンロードデータにおけるノーマルイメージを表示し、前記携帯端末で前記ノーマルイメージに対する拡大要求を受け付けると、前記ノーマルイメージを拡大した際のサイズと一致するサイズに、前記画像記憶部に記憶した前記エッジイメージを縮小し、前記拡大したノーマルイメージと前記縮小したエッジイメージとを重畳して表示させる表示処理部と、を有する画像処理システムである。
【手続補正８】
【補正対象書類名】明細書
【補正対象項目名】００２１
【補正方法】変更
【補正の内容】
【００２１】
請求項７の発明は、画像生成システムにおいて生成された、ラスターデータからなるオリジナル画像データを所定のサイズに縮小したノーマルイメージと、前記オリジナル画像データにおける一部又は全部の輪郭を抽出したエッジイメージとを対応付けたダウンロードデータに基づいて画像データの表示を行い、携帯端末で機能する画像表示システムであって、前記画像表示システムは、前記ダウンロードデータを読み込み、前記携帯端末の画像記憶部に記憶させるダウンロードデータ読込部と、前記画像記憶部に記憶したダウンロードデータにおけるノーマルイメージを表示し、前記携帯端末で前記ノーマルイメージに対する拡大要求を受け付けると、前記ノーマルイメージを拡大した際のサイズと一致するサイズに、前記画像記憶部に記憶した前記エッジイメージを縮小し、前記拡大したノーマルイメージと前記縮小したエッジイメージとを重畳して表示させる表示処理部と、を有する画像表示システムである。
【手続補正９】
【補正対象書類名】明細書
【補正対象項目名】００２３
【補正方法】変更
【補正の内容】
【００２３】
請求項８の発明は、第１の端末において生成された、ラスターデータからなるオリジナル画像データを所定のサイズに縮小したノーマルイメージと、前記オリジナル画像データにおける一部又は全部の輪郭を抽出したエッジイメージとを対応付けたダウンロードデータに基づいて画像データの表示を行う携帯端末を、前記ダウンロードデータを読み込み、前記携帯端末の記憶装置に記憶させるダウンロードデータ読込部、前記記憶装置に記憶したダウンロードデータにおけるノーマルイメージを表示し、前記携帯端末で前記ノーマルイメージに対する拡大要求を受け付けると、前記ノーマルイメージを拡大した際のサイズと一致するサイズに、前記記憶装置に記憶した前記エッジイメージを縮小し、前記拡大したノーマルイメージと前記縮小したエッジイメージとを重畳して表示させる表示処理部、として機能させる画像表示プログラムである。
【手続補正１０】
【補正対象書類名】明細書
【補正対象項目名】００２５
【補正方法】変更
【補正の内容】
【００２５】
請求項９の発明は、画像生成システムと、前記携帯端末で機能する画像表示システムとを有する画像処理システムであって、前記画像生成システムは、ラスターデータからなるオリジナル画像データを読み込む画像読込部と、前記オリジナル画像データを所定のサイズに縮小してノーマルイメージを生成するノーマルイメージ生成部と、前記オリジナル画像データにおける一部又は全部の輪郭を抽出し、前記画像表示システムにおいて前記ノーマルイメージを拡大した際のサイズと一致するサイズに縮小したエッジイメージを生成するエッジイメージ生成部と、前記ノーマルイメージと前記エッジイメージとを対応付けてダウンロードデータとして、所定の記憶領域に記憶させるダウンロードデータ生成部と、を有しており、前記画像表示システムは、前記ダウンロードデータを読み込み、前記携帯端末の画像記憶部に記憶させるダウンロードデータ読込部と、前記画像記憶部に記憶したダウンロードデータにおけるノーマルイメージを表示し、前記携帯端末で前記ノーマルイメージに対する拡大要求を受け付けると、拡大したノーマルイメージと前記画像記憶部に記憶したエッジイメージとを重畳して表示させる表示処理部と、を有する画像処理システムである。
【手続補正１１】
【補正対象書類名】明細書
【補正対象項目名】００２７
【補正方法】変更
【補正の内容】
【００２７】
請求項１０の発明は、ラスターデータからなる、漫画のオリジナル画像データを読み込む画像読込部と、前記オリジナル画像データを所定のサイズに縮小して前記ノーマルイメージを生成するノーマルイメージ生成部と、前記オリジナル画像データにおける一部又は全部の輪郭を抽出し、前記ノーマルイメージを拡大した際のサイズと一致するサイズに縮小した前記エッジイメージを生成するエッジイメージ生成部と、前記ノーマルイメージと前記エッジイメージとを対応付けてダウンロードデータとして、所定の記憶領域に記憶させ、携帯端末からのダウンロードを可能とせしめるダウンロードデータ生成部と、を有する画像生成システムである。
【手続補正１２】
【補正対象書類名】明細書
【補正対象項目名】００２９
【補正方法】変更
【補正の内容】
【００２９】
請求項１１の発明は、第１の端末を、ラスターデータからなる、漫画のオリジナル画像データを前記第１の端末に読み込む画像読込部、前記オリジナル画像データを所定のサイズに縮小したノーマルイメージを生成するノーマルイメージ生成部、前記オリジナル画像データにおける一部又は全部の輪郭を抽出し、携帯端末において前記ノーマルイメージを拡大した際のサイズと一致するサイズに縮小したエッジイメージを生成するエッジイメージ生成部、前記ノーマルイメージと前記エッジイメージとを対応付けてダウンロードデータとして、所定の記憶領域に記憶させるダウンロードデータ生成部、として機能させるための画像生成プログラムであって、前記携帯端末において、前記ダウンロードデータにおけるノーマルイメージと前記エッジイメージとを重畳表示させる、画像生成プログラムである。